(57)【要約】【課題】コネクタハウジングが小型の場合でも、相手コネクタハウジングとの嵌合接続作業時に良好な把持性を確保して嵌合接続作業を容易することができ、また、作業時に作業者の手指の誤接触に起因した不都合の発生を回避することのできるコネクタ嵌合方法を提供すること。【解決手段】雌雄のコネクタハウジング１１，１２相互を嵌合接続する際に、予め少なくとも一方のコネクタハウジング１１には、嵌合操作時に把持部となる嵌合補助治具１４を嵌合装着しておき、雌雄コネクタハウジング１１，１２相互の嵌合接続が完了後に、嵌合補助治具１４を取り外すことで、嵌合接続作業時に良好な把持性を確保して嵌合接続作業を容易することができ、また、作業時に作業者の手指の誤接触起因した不都合の発生を回避することができる。【選択図】図１
2010161018.tif 000002
【特許請求の範囲】
【請求項１】
雌雄のコネクタハウジング相互を嵌合接続する際に、予め少なくとも一方のコネクタハウジングには、嵌合操作時に把持部となる嵌合補助治具を嵌合装着しておき、雌雄コネクタハウジング相互の嵌合接続が完了後に、前記嵌合補助治具を取り外すことを特徴とするコネクタ嵌合方法。
【請求項２】
コネクタハウジングの後端に、相手のコネクタハウジングに嵌合接続する際に把持部となる嵌合補助治具を着脱可能に結合する治具結合部を設けたことを特徴とするコネクタハウジング。
【請求項３】
コネクタハウジングの後端に着脱可能に結合されて、前記コネクタハウジングを相手のコネクタハウジングに嵌合接続操作時には把持部として使用され、嵌合接続操作の完了後には、結合されていたコネクタハウジングから取り外される嵌合補助治具であって、
前記コネクタハウジングに設けられた治具結合部に結合されるハウジング結合部と、把持し易い大きさ及び形状が付与された把持部とを備えたことを特徴とする嵌合補助治具。
【請求項４】
前記ハウジング結合部には、前記治具結合部として一方のコネクタハウジングの後端に装備された治具嵌合穴に着脱可能に嵌合するコネクタ嵌合部と、前記治具嵌合穴と前記コネクタ嵌合部との嵌合完了時に一方のコネクタハウジングの内部の段差に係合して、前記一方のコネクタハウジングと嵌合補助治具との結合状態をロックする結合ロック片と、を備え、
前記一方のコネクタハウジングに対する前記結合ロック片の係合状態が、前記コネクタハウジング相互の嵌合接続完了時に相手コネクタハウジングに設けられた係合解除部材が前記結合ロック片を弾性変形させることで、解除されることを特徴とする請求項３に記載の嵌合補助治具。
【発明の詳細な説明】
【技術分野】
【０００１】
本発明は、雌雄のコネクタハウジング相互の嵌合接続を容易且つ確実にするコネクタ嵌合方法及びコネクタハウジング及び嵌合補助治具に関する。
【背景技術】
【０００２】
図１７は、嵌合接続する雌雄のコネクタハウジングの従来例を示したものである。
ここに示した雌雄のコネクタハウジング１，２は、下記特許文献１に開示されたもので、雌コネクタハウジング１の上面には、コネクタハウジング１，２相互の嵌合が正常に完了したときにアーム本体３ａ上の係止部３ｂが雄コネクタハウジング２の係合部５に係合して嵌合状態をロックするロックアーム３が設けられている。
【０００３】
図１７（ａ）は雌雄のコネクタハウジング１，２相互が嵌合途中の状態を示し、図１７（ｂ）は雌雄のコネクタハウジング１，２相互の嵌合が完了した状態を示している。
【０００４】
また、雌コネクタハウジング１の上面には、ロックアーム３に隣接するように解除レバー７が設けられている。この解除レバー７は、係止部３ｂの付近に設けられた連係部７ａと、指で押圧操作を行う操作部７ｂと、係止部３ｂを解除変位させる方向に作用させる支点部７ｃとが設けられ、これらが力学的てこを構成するように機能している。
【０００５】
図１７（ｃ）に示すように、コネクタハウジング１，２相互が嵌合接続している状態で、操作部７ｂを押し下げると、解除レバー７が雄コネクタハウジング２の内壁に当接している支点部７ｃを支点に下方に回動挙動し、解除レバー７に連係部７ａで連結されている係止部３ｂが下方に変位し、ロック状態が解除された状態になる。
このロック解除状態では、雌コネクタハウジング１を後方（図１７（ｃ）の矢印Ａ方向）に引き抜くことで、コネクタハウジング１，２の嵌合を解除することができる。
【先行技術文献】
【特許文献】
【０００６】
【特許文献１】特開２００６−１４７２９１号公報
【発明の概要】
【発明が解決しようとする課題】
【０００７】
ところで、上記のようなコネクタハウジング１，２は、製造コストの低減や配置場所での占有スペースの低減等から、小型軽量化が進められているが、小型化すると、コネクタハウジング１，２相互の嵌合接続時に操作性の良い適度な大きさの把持部を確保できなくなることが少なくない。
そして、操作性の良い適度な大きさの把持部を確保できないために、コネクタハウジング１，２の嵌合接続作業が困難になる場合もあった。
【０００８】
また、コネクタハウジング１，２に明確な把持部を確保していないため、嵌合接続作業時に把持する箇所は作業者任せになっていて、嵌合接続操作時に作業者の手指が誤って操作部７ｂに触れていると、解除レバー７の作動で嵌合不良が発生するおそれがあった。
【０００９】
更に、コネクタハウジング相互の嵌合接続時には、一方のコネクタハウジングのロックアーム３が相手のコネクタハウジングの係合部５に係合したときに発生する動作音を聞いて、正常に嵌合接続が完了したか否かの確認をすることが多い。しかし、専用の把持部が確保できない小型のコネクタハウジングの場合は、例えば接続作業時に作業者の手指がロックアーム３に触れているために、ロック時の係合に伴う動作音が通常よりも小さくなり、動作音が周囲の騒音に紛れて、動作音から嵌合接続作業の完了を確認できなくなるという不便があった。
【００１０】
本発明の目的は上記課題を解消することに係り、コネクタハウジングが小型の場合でも、コネクタハウジング相互の嵌合接続作業時に良好な把持性を確保して、嵌合接続作業を容易することができ、また、嵌合接続作業時に把持部が不明確なために作業者の手指が誤ってロックアーム等に触れてしまうことに起因した動作音の低減などの不都合の発生を回避することができるコネクタ嵌合方法及びコネクタハウジング及び嵌合補助治具を提供することにある。
【課題を解決するための手段】
【００１１】
本発明の前述した目的は、下記の構成により達成される。
（１）雌雄のコネクタハウジング相互を嵌合接続する際に、予め少なくとも一方のコネクタハウジングには、嵌合操作時に把持部となる嵌合補助治具を嵌合装着しておき、雌雄コネクタハウジング相互の嵌合接続が完了後に、前記嵌合補助治具を取り外すことを特徴とするコネクタ嵌合方法。
【００１２】
（２）コネクタハウジングの後端に、相手のコネクタハウジングに嵌合接続する際に把持部となる嵌合補助治具を着脱可能に結合する治具結合部を設けたことを特徴とするコネクタハウジング。
【００１３】
（３）コネクタハウジングの後端に着脱可能に結合されて、前記コネクタハウジングを相手のコネクタハウジングに嵌合接続操作時には把持部として使用され、嵌合接続操作の完了後には、結合されていたコネクタハウジングから取り外される嵌合補助治具であって、
前記コネクタハウジングに設けられた治具結合部に結合されるハウジング結合部と、把持し易い大きさ及び形状が付与された把持部とを備えたことを特徴とする嵌合補助治具。
【００１４】
（４）前記ハウジング結合部には、前記治具結合部として一方のコネクタハウジングの後端に装備された治具嵌合穴に着脱可能に嵌合するコネクタ嵌合部と、前記治具嵌合穴と前記コネクタ嵌合部との嵌合完了時に一方のコネクタハウジングの内部の段差に係合して、前記一方のコネクタハウジングと嵌合補助治具との結合状態をロックする結合ロック片と、を備え、
前記一方のコネクタハウジングに対する前記結合ロック片の係合状態が、前記コネクタハウジング相互の嵌合接続完了時に相手コネクタハウジングに設けられた係合解除部材が前記結合ロック片を弾性変形させることで、解除されることを特徴とする上記（３）に記載の嵌合補助治具。
【００１５】
上記（１）に示したコネクタ嵌合方法では、嵌合補助治具が嵌合装着されるコネクタハウジングは、そのコネクタハウジング自体が小型の場合でも、装着した嵌合補助治具を把持部として相手コネクタハウジングへの嵌合接続ができるため、コネクタハウジング相互の嵌合接続作業時に良好な把持性を確保して、嵌合接続作業を容易することができる。
【００１６】
また、把持部となる嵌合補助治具を装着したコネクタハウジングは、嵌合接続作業時の把持部が明確になる。従って、嵌合接続作業時に把持部が不明確なために、把持する部位が作業者任せになってしまって作業者の手指が誤ってロックアーム等に触れてしまうことを防止できる。
【００１７】
従って、嵌合接続作業時に作業者の手指が誤ってロックアーム等に触れてしまうことに起因した不都合、例えば、嵌合不良の発生や、嵌合接続完了時の動作音の低減といった不都合の発生を回避することができる。そのため、コネクタハウジング相互の嵌合接続完了時の動作音から嵌合接続作業の完了を確認することも容易になる。
【００１８】
上記（２）の構成によれば、コネクタハウジングの後端に嵌合補助治具を嵌合接続することが可能になり、嵌合補助治具を把持部として、雌雄のコネクタハウジング相互の嵌合接続作業を行う上記（１）に記載のコネクタ嵌合方法の実施が可能になる。
【００１９】
上記（３）の構成によれば、嵌合補助治具が把持し易い大きさ及び形状の把持部を有しているため、該嵌合補助治具が結合されるコネクタハウジングの寸法等に左右されずに、コネクタハウジング相互の嵌合接続作業時には良好な把持性を確保して、嵌合接続作業を容易することができる。
【００２０】
上記（４）の構成によれば、コネクタハウジングの後端に結合される嵌合補助治具は、結合ロック片によってコネクタハウジングへの結合状態がロックされるため、雌雄のコネクタハウジング相互の嵌合接続作業中に不用意にコネクタハウジングとの結合が外れることがなく、コネクタハウジング相互の嵌合接続作業中、安定した把持性を提供することができる。
【００２１】
また、コネクタハウジングとの結合状態をロックする結合ロック片は、雌雄のコネクタハウジング相互の嵌合接続が完了したときに、相手コネクタハウジングに設けられた係合解除部材によりロック状態が解除されて、嵌合補助治具をコネクタハウジングの後端から取り外すことが可能になる。
【００２２】
換言すれば、結合ロック片のロック状態が解除されて嵌合補助治具がコネクタハウジングから離脱可能な状態になることは、雌雄のコネクタハウジングの嵌合接続が正常に完了したことを意味し、嵌合接続作業の完了の確認に利用できる。
【００２３】
従って、コネクタハウジング相互の嵌合接続完了時の動作音が作業現場の騒音等で聞こえ難い場合でも、嵌合補助治具を取り外せるか否かで、コネクタハウジング相互の嵌合接続完了を確認することができる。
【発明の効果】
【００２４】
本発明に係るコネクタハウジング及び嵌合補助治具を使ったコネクタ嵌合方法によれば、嵌合補助治具が嵌合装着されるコネクタハウジングは、そのコネクタハウジング自体が小型の場合でも、装着した嵌合補助治具を把持部として相手コネクタハウジングへの嵌合接続ができるため、コネクタハウジング相互の嵌合接続作業時に良好な把持性を確保して、嵌合接続作業を容易することができる。
【００２５】
また、把持部となる嵌合補助治具を装着したコネクタハウジングは、嵌合接続作業時の把持部が明確になる。従って、嵌合接続作業時に把持部が不明確なために、把持する部位が作業者任せになってしまって作業者の手指が誤ってロックアーム等に触れてしまうことを防止できる。
【００２６】
従って、嵌合接続作業時に作業者の手指が誤ってロックアーム等に触れてしまうことに起因した不都合、例えば、嵌合不良の発生や、嵌合接続完了時の動作音の低減といった不都合の発生を回避することができる。そのため、コネクタハウジング相互の嵌合接続完了時の動作音から嵌合接続作業の完了を確認することも容易になる。
【図面の簡単な説明】
【００２７】
【図１】本発明に係るコネクタ嵌合方法で嵌合させる雌雄のコネクタハウジングと嵌合補助治具の一実施形態の斜視図である。
【図２】図１に示した雌雄のコネクタハウジングと嵌合補助治具の縦断面図である。
【図３】図２のＡ−Ａ断面図である。
【図４】図１に示した雌コネクタハウジングの正面図である。
【図５】図１に示した雌コネクタハウジングの背面図である。
【図６】図４のＢ−Ｂ断面図である。
【図７】図１に示した嵌合補助治具の拡大図である。
【図８】図７に示した嵌合補助治具の正面図である。
【図９】図８のＣ−Ｃ断面図である。
【図１０】図１に示した雄コネクタハウジングの正面図である。
【図１１】（ａ）は図２に示した雌コネクタハウジングと嵌合補助治具の嵌合接続途中の状態を示す縦断面図、（ｂ）は（ａ）のＤ−Ｄ断面図である。
【図１２】（ａ）は図２に示した雌コネクタハウジングと嵌合補助治具の嵌合接続完了時の状態を示す縦断面図、（ｂ）は（ａ）のＥ−Ｅ断面図である。
【図１３】図２に示した雌コネクタハウジングと嵌合補助治具の嵌合接続完了状態の斜視図である。
【図１４】（ａ）は図１２に示した嵌合補助治具付きの雌コネクタハウジングと図２に示した雄コネクタハウジングとの嵌合途中の状態を示す縦断面図、（ｂ）は（ａ）に示した雌雄のコネクタハウジング相互の嵌合完了直前の状態の縦断面図、（ｃ）は同嵌合完了時の状態の縦断面図である。
【図１５】図１４（ｃ）のＦ部の拡大図である。
【図１６】図１４（ｃ）に示した雌雄のコネクタハウジングの嵌合完了状態の斜視図である。
【図１７】従来の雌雄のコネクタハウジングの説明図で、（ａ）は嵌合途中の縦断面図、（ｂ）は嵌合完了状態の縦断面図、（ｃ）は嵌合完了状態で解除レバーを操作したときの動作説明図である。
【発明を実施するための形態】
【００２８】
以下、本発明に係るコネクタ嵌合方法及び嵌合補助治具の好適な実施形態について、図面を参照して詳細に説明する。
図１は本発明に係るコネクタ嵌合方法で嵌合させる雌雄のコネクタハウジングと嵌合補助治具の一実施形態の斜視図、図２は図１に示した雌雄のコネクタハウジングと嵌合補助治具の縦断面図、図３は図２のＡ−Ａ断面図である。
【００２９】
本発明の一実施形態のコネクタ嵌合方法は、図１に示す雌雄のコネクタハウジング１１，１２相互を嵌合接続する際に、その一方のコネクタハウジングである雌コネクタハウジング１１には予め、嵌合操作時に把持部となる嵌合補助治具１４を嵌合装着しておき、雌雄コネクタハウジング１１，１２相互の嵌合接続が完了後に、雌コネクタハウジング１１から嵌合補助治具１４を取り外す。
【００３０】
上記のコネクタ嵌合方法を実施するために、雌コネクタハウジング１１は、図３〜図６に示すように、複数個の雌端子収容穴２１を整列装備した端子収容部２２と、この端子収容部２２の周囲に雄コネクタハウジング１２の嵌入空間２３を画成する雌フード部２４と、嵌入空間２３に正常嵌合した雄コネクタハウジング１２上のロック用係止部５１に係合してコネクタハウジング１１，１２相互の嵌合状態をロックするロックアーム２５とを備えている。
【００３１】
ロックアーム２５は、ハウジング後端側からハウジング先端に向かって延出したアーム２５ａの先端に、嵌入空間２３側に突出するロック突起２５ｂを設けたもので、このロック突起２５ｂを雄コネクタハウジング１２のロック用係止部５１の後端の段差に係合させることで、雄コネクタハウジング１２の抜け止めをする。なお、ロック突起２５ｂの両側はハウジングの先端側まで延びており、ロック突起２５ｂは両持ち支持されている。
【００３２】
本実施形態の場合、雌コネクタハウジング１１の後端には、嵌合補助治具１４を着脱可能に結合する治具結合部３１を設けている。
治具結合部３１は、図５及び図６に示すように、コネクタハウジング相互の嵌合方向と平行に端子収容部２２の上部に穿設された一対の治具嵌合穴３２と、雌コネクタハウジング１１の後端外周に着脱可能に嵌合する嵌合補助治具１４の治具フード部４３を着脱可能に係止する治具フード係止部３３と、治具フード係止部３３により雌コネクタハウジング１１の上端に係止された嵌合補助治具１４を離脱不可に結合するための段差３４とを備えている。
【００３３】
嵌合補助治具１４は、図７〜図９に示すように、雌コネクタハウジング１１の後端に嵌合装着されて、雌コネクタハウジング１１と雄コネクタハウジング１２の嵌合接続時に把持部として使用されるもので、雌コネクタハウジング１１に設けられた治具結合部３１に結合されるハウジング結合部４１と、把持し易い大きさ及び形状が付与された把持部４２とを樹脂により一体成形されている。
【００３４】
本実施形態の場合、ハウジング結合部４１には、雌コネクタハウジング１１の後端外周に着脱可能に嵌合する治具フード部４３と、雌コネクタハウジング１１の後端に装備された治具嵌合穴３２に着脱可能に嵌合するコネクタ嵌合部４５と、治具嵌合穴３２とコネクタ嵌合部４５との嵌合完了時に治具フード係止部３３に係合して雌コネクタハウジング１１と嵌合補助治具１４とを着脱可能な結合状態にするコネクタ結合突起４６と、治具嵌合穴３２とコネクタ嵌合部４５との嵌合完了時に雌コネクタハウジング１１の内部の段差３４に係合して、雌コネクタハウジング１１と嵌合補助治具１４との結合状態をロックする結合ロック片４７と、を備えている。
【００３５】
また、本実施形態の場合、雌コネクタハウジング１１に対する結合ロック片４７の係合状態は、コネクタハウジング１１，１２相互の嵌合接続完了時に相手コネクタハウジング１２に設けられた係合解除部材である雄フード部５３の先端部５４が衝突して結合ロック片４７を弾性変形させることで、解除される。
【００３６】
嵌合補助治具１４の把持部４２は、作業者が手指で把持し易いように、図８及び図９に示すように、滑り止めとなる複数の段差形状４８が形成されている。
【００３７】
雄コネクタハウジング１２は、図２及び図１０に示すように、複数個の雄端子収容穴５５を整列装備した端子収容部５６と、端子収容部５６の先端側外周部に延出形成されて雌コネクタハウジング１１の嵌入空間２３に嵌合する雄フード部５３と、雌コネクタハウジング１１と雄コネクタハウジング１２との嵌合接続が正常に完了したときに雌コネクタハウジング１１のロックアーム２５のロック突起２５ｂに係合するロック用係止部５１とを備えている。
【００３８】
次に、以上に説明した雌コネクタハウジング１１と雄コネクタハウジング１２とを嵌合接続させる手順を、図面に基づいて説明する。
【００３９】
まず、図１１に示すように、嵌合補助治具１４のハウジング結合部４１を雌コネクタハウジング１１の治具結合部３１に嵌合させて、図１２に示したように嵌合補助治具１４のコネクタ結合突起４６が治具フード係止部３３に係合すると共に、結合ロック片４７が段差３４に係合して、嵌合補助治具１４と雌コネクタハウジング１１との結合がロックされた状態を得る。
図１３は、雌コネクタハウジング１１の後端に嵌合補助治具１４が結合されてロックされている状態の斜視図である。
【００４０】
次に、図１４（ａ），（ｂ），（ｃ）に示すように、嵌合補助治具１４が結合されている雌コネクタハウジング１１を、雄コネクタハウジング１２に嵌合させる。この作業中、雌コネクタハウジング１１は嵌合補助治具１４の把持部４２を把持することによって操作する。
【００４１】
コネクタハウジング１１，１２の嵌合は、（ａ），（ｂ）の順に進み、これらのコネクタハウジング１１，１２相互の嵌合が正常に完了すると、図１４（ｃ）に示したように、雄コネクタハウジング１２のロック用係止部５１に雌コネクタハウジング１１のロックアーム２５のロック突起２５ｂが係合し、コネクタハウジング１１，１２相互の嵌合状態がロックされる。
【００４２】
コネクタハウジング１１，１２相互の嵌合状態がロックされたときには、図１５に示すように、雌コネクタハウジング１１の嵌入空間２３内に矢印Ｘ方向に押し込まれた雄フード部５３の先端部５４が結合ロック片４７の先端のテーパ面４７ａに衝突して、矢印Ｙで示すように、結合ロック片４７の先端部を段差３４から離れる方向に変位させる撓みを結合ロック片４７に生じさせ、結合ロック片４７と段差３４との係合を解除する。
【００４３】
従って、図１６に矢印Ｆ，Ｇで示すように、嵌合補助治具１４を雌コネクタハウジング１１から引き抜く方向に引っ張ると、嵌合補助治具１４が雌コネクタハウジング１１から離脱して、雌コネクタハウジング１１と雄コネクタハウジング１２とが嵌合接続した状態が得られる。
【００４４】
以上に説明したように、後端に治具結合部３１を装備した雌コネクタハウジング１１は、ハウジングの後端に嵌合補助治具１４を嵌合接続することが可能になり、嵌合補助治具１４を把持部として、雌雄のコネクタハウジング相互の嵌合接続作業を行うコネクタ嵌合方法の実施が可能になる。
【００４５】
また、上記実施形態のように、嵌合補助治具１４が、雌コネクタハウジング１１に結合するためのハウジング結合部４１と、把持するための把持部４２とを備えた構成の場合には、把持部４２に把持し易い大きさ及び形状を設定しておくことで、該嵌合補助治具１４が結合される雌コネクタハウジング１１の寸法等に左右されずに、コネクタハウジング１１，１２相互の嵌合接続作業時には良好な把持性を確保して、嵌合接続作業を容易にすることができる。
【００４６】
従って、コネクタハウジング１１，１２の嵌合接続時に嵌合補助治具１４を使用する上記の一実施形態のコネクタ嵌合方法では、雌コネクタハウジング１１自体が小型の場合でも、装着した嵌合補助治具１４の把持部４２を把持して相手コネクタハウジングへの嵌合接続ができるため、コネクタハウジング相互の嵌合接続作業時に良好な把持性を確保して、嵌合接続作業を容易にすることができる。
【００４７】
更に、雄コネクタハウジング１２が奥まったところの、手指を挿入し難く目視しづらい部分にあっても、嵌合補助治具１４を用いることで、嵌合接続作業を容易にすることができる。
【００４８】
更に、上記実施形態のコネクタ嵌合方法では、把持部となる嵌合補助治具１４を装着した雌コネクタハウジング１１は、嵌合接続作業時の把持部が明確になる。従って、嵌合接続作業時に把持部が不明確なために、把持する部位が作業者任せになってしまって作業者の手指が誤ってロックアーム２５等に触れてしまうことを防止できる。
【００４９】
従って、嵌合接続作業時に作業者の手指が誤ってロックアーム２５等に触れてしまうことに起因した不都合、例えば、嵌合不良の発生や、嵌合接続完了時の動作音の低減といった不都合の発生を回避することができる。そのため、コネクタハウジング１１，１２相互の嵌合接続完了時の動作音から嵌合接続作業の完了を確認することも容易になる。
【００５０】
また、上記一実施形態に示した嵌合補助治具１４の場合は、結合ロック片４７によってコネクタハウジング１１への結合状態がロックされるため、雌雄のコネクタハウジング１１，１２相互の嵌合接続作業中に不用意にコネクタハウジング１１との結合が外れることがなく、コネクタハウジング１１，１２相互の嵌合接続作業中、安定した把持性を提供することができる。
【００５１】
また、上記一実施形態に示した嵌合補助治具１４の場合は、コネクタハウジング１１との結合状態をロックする結合ロック片４７は、雌雄のコネクタハウジング１１，１２相互の嵌合接続が完了したときに、相手コネクタハウジング１２上の部材である雄フード部５３の先端部５４によりロック状態が解除されて、嵌合補助治具１４をコネクタハウジング１１の後端から取り外すことが可能になる。
【００５２】
換言すれば、結合ロック片４７のロック状態が解除されて嵌合補助治具１４がコネクタハウジング１１から離脱可能な状態になることは、雌雄のコネクタハウジング１１，１２の嵌合接続が正常に完了したことを意味し、嵌合接続作業の完了の確認に利用できる。
従って、コネクタハウジング１１，１２相互の嵌合接続完了時の動作音が作業現場の騒音等で聞こえ難い場合でも、嵌合補助治具１４を取り外せるか否かで、コネクタハウジング１１，１２相互の嵌合接続完了を確認することができる。
【００５３】
なお、上記の実施形態では、嵌合接続する雌雄のコネクタハウジングの一方にのみ嵌合補助治具を結合したが、双方のコネクタハウジングに嵌合補助治具を結合して、コネクタハウジング相互の嵌合接続を行うようにしても良い。
【００５４】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００５５】
１１  雌コネクタハウジング
１２  雄コネクタハウジング
１４  嵌合補助治具
２１  雌端子収容穴
２２  端子収容部
２３  嵌入空間
２４  雌フード部
２５  ロックアーム
２５ｂ  ロック突起
３１  治具結合部
３２  治具嵌合穴
３３  治具フード係止部
３４  段差
４１  ハウジング結合部
４２  把持部
４３  治具フード部
４５  コネクタ嵌合部
４６  コネクタ結合突起
４７  結合ロック片
４８  段差形状
５１  ロック用係止部
５３  雄フード部
【図１】
2010161018.tif 000003
【図２】
2010161018.tif 000004
【図３】
2010161018.tif 000005
【図４】
2010161018.tif 000006
【図５】
2010161018.tif 000007
【図６】
2010161018.tif 000008
【図７】
2010161018.tif 000009
【図８】
2010161018.tif 000010
【図９】
2010161018.tif 000011
【図１０】
2010161018.tif 000012
【図１１】
2010161018.tif 000013
【図１２】
2010161018.tif 000014
【図１３】
2010161018.tif 000015
【図１４】
2010161018.tif 000016
【図１５】
2010161018.tif 000017
【図１６】
2010161018.tif 000018
【図１７】
2010161018.tif 000019